(57)【要約】  互いの接合面（１Ｆ）、（２Ｆ）を合わせて分解可能に固定保持される２つのパネル（１）、（２）間に１対の嵌合手段（８）、（９）を２対以上備え、これら２対以上の各嵌合手段（８）、（９）におけるそれぞれの嵌合が、前記パネル（１）、（２）の組み立てに際して一方のパネルを他方のパネルに対してスライドさせる方向として定めた所定スライド方向Ｚのスライドによりなされるようにそれぞれの嵌合部材が配置されると共に、これら嵌合手段による嵌合状態を保持し、また、嵌合状態の保持を解除可能なロック手段（３０）を付帯する。
2009141937.tif 000002
【特許請求の範囲】
【請求項１】
互いの接合面を合わせて分解可能に固定保持される２つのパネルのうち、一方のパネルに設けられる第１嵌合部材と、他方のパネルに設けられ前記第１嵌合部材と嵌合可能な第２嵌合部材とで一対の嵌合手段を構成し、この一対の嵌合手段を２対以上備え、これら２対以上の各嵌合手段におけるそれぞれの嵌合が、前記パネルの組み立てに際して一方のパネルを他方のパネルに対してスライドさせる方向として定めた所定スライド方向のスライドによりなされるようにそれぞれの嵌合部材が配置されると共に、これら嵌合手段による嵌合状態を保持し、また、嵌合状態の保持を解除可能なロック手段を付帯することを特徴とするディスプレイパネル嵌合構造。
【請求項２】
前記一対の嵌合手段は、穴又は孔を有する輪状嵌合部材と、この輪状嵌合部材に嵌合する凸状部を有する凸状嵌合部材との組み合わせからなることを特徴とする請求項１記載のディスプレイパネル嵌合構造。
【請求項３】
前記一対の嵌合手段を構成する第１、第２嵌合部材は共にＬ字形をした板状片からなり、これら第１嵌合部材を構成する前記板状片と第２嵌合部材を構成する前記板状片とは互いの板面が直交する態様でそれぞれのパネルに固定されていて、嵌合状態において交差状に噛み合わされることを特徴とする請求項１記載のディスプレイパネル嵌合構造。
【請求項４】
前記第１嵌合部材、前記第２嵌合部材の何れか一方の前記嵌合部には、前記嵌合のための前記パネルのスライドに従い、互いの接合面の接合を密にし、或いは接合部の噛み違いが矯正されるように、嵌合している他方の嵌合部材に作用する傾斜部を有することを特徴とする請求項１記載のディスプレイパネル嵌合構造。
【請求項５】
前記ロック手段は鉤状部材と、この鉤状部材に掛かる掛止部材からなり、前記嵌合のための前記パネルの前記所定スライド方向のスライドに伴い、前記掛止部材に対する前記鉤状部材の係合がなされ、前記鉤状部材が前記掛止部材に掛止されてロック状態になるようにこれら鉤状部材と掛止部材の位置関係が定められていることを特徴とする請求項１記載のディスプレイパネル嵌合構造。
【請求項６】
前記ロック手段を構成する前記鉤状部材と、前記掛止部材は、前記２つのパネルにおける互いの接合面部近傍から各パネルの外部にそれぞれ突出する軸保持用の突出部にそれぞれ構成されていることを特徴とする請求項５記載のディスプレイパネル嵌合構造。
【発明の詳細な説明】
【技術分野】
【０００１】
この発明は、ディスプレイパネル嵌合構造に関するものである。
【背景技術】
【０００２】
液晶は基板等を内封するディスプレイの嵌合構造として、図２３乃至図２５に示すように、略矩形の２つの前面パネル１００と背面パネル２００からなり、これらパネルにおける開放端側の矩形の縁部でそれぞれの接合面１００Ｆ、２００Ｆを構成し、これら互いの接合面１００Ｆ、２００Ｆ同士を合わせて固定保持するための構成がある。これまでは前面パネル１００に引っ掛かりとなる凸部１００ａを備え、背面パネル２００に前面パネル１００の凸部１００ａが引っ掛かる穴２０１ａを有した突起２０１を備え、もしくはこれらの凸部１００ａや突起２０１を前面パネル１００側と背面パネル２００側とで置き換えた構成を有する構造であった。【０００３】
凸部１００ａ及び突起２０１はそれぞれのパネルの開放端側の矩形の縁部の内側に全周にわたり間隔をおいて複数対、設けられている。かかる構造では、両パネル同士を合わせて固定保持する際に、図において上下方向から互いの接合面１００Ｆ、２００Ｆ同士が密着するように両パネル同士を押し付ける。その過程で、突起２０１の自由端側が凸部１００ａにより弾性変形させられて穴２０１ａに凸部１００ａが嵌合し、かつ、互いの接合面１００Ｆ、２００Ｆ同士が密着した状態となり、両パネル同士は一体化される。【０００４】
このようにして組み立てられたディスプレイパネル嵌合構造において、組み立て後に分解されることは稀であるが、それでも、内部点検の必要から分解が必要となる場合がある。分解するためには、穴２０１ａと凸部１００ａとの嵌合状態を解除しなければならないが、しかし、組み立て後においては図２５にも示すように、穴２０１ａ及び凸部１００ａは両パネルの内側に位置し、しかも、互いの接合面１００Ｆ、２００Ｆ同士が密着しているため外部から工具を差し入れることは困難であり、穴２０１ａを有する突起２０１を内側に撓ませて穴２０１ａから凸部１００ａを外すことが極めて困難である。【０００５】
このため、工具でこじ開けようとすると突起２０１部分が破損することがあり、このようにして一度分解すると背面パネル２００を新規の部品に取り替えなければならない場合もあることから、分解可能で嵌合部の破損がなく、パネルの再利用が可能なディスプレイパネル嵌合構造が望まれている。【０００６】
本体の背面を覆うカバー部材を本体に固定して保持するカバー部材の保持構造であり、間隔をおいて本体に設けられている一対の第１取り付け凹部と、間隔をおいて本体に設けられている一対の第２取り付け凹部と、カバー部材において突出して設けられ一対の第１取り付け凹部に対してそれぞれカバー部材をスライドしてはめ込まれて固定される一対の第１突起部と、カバー部材において突出して設けられ一対の第２取り付け凹部に対してそれぞれカバーのスライド方向とは異なる方向にカバー部材を押し込むことではめ込まれて固定される一対の第２突起部を備える構造に係る技術がある（たとえば、特許文献１参照）。【０００７】
特許文献１におけるカバー部材の保持構造は、カバー部材を本体の背面に対して簡単かつ確実に固定して保持することができ、簡単には外れないカバー部材の保持構造および電子機器を提供することを課題とするものであり、液晶表示装置の本体の背面に対して、カバー部材を取り付ける際には、（１）第１取り付け凹部に対して、カバー部材の第１突起部をスライドして取り付ける工程と、（２）第２取り付け凹部に対して、カバー部材の第２突起部を押し込んではめ込むはめ込み工程、の２つの工程を経なければならない（段落００４０〜００４３）、また、複雑に入り組んだ構造が必要とされる。【０００８】
以上のことから、組み立て、分解が容易でその作業工程も単純なディスプレイパネル嵌合構造が望まれる。【０００９】
【特許文献１】特開２００４−１１９６２２号公報
【発明の開示】
【００１０】
この発明は上記のような課題を解決するもので、組み立て、分解が容易でその作業工程も単純なディスプレイパネル嵌合構造を提供することを目的とする。
【００１１】
この発明は、互いの接合面を合わせて分解可能に固定保持される２つのパネルのうち、一方のパネルに設けられる第１嵌合部材と、他方のパネルに設けられ前記第１嵌合部材と嵌合可能な第２嵌合部材とで一対の嵌合手段を構成し、この一対の嵌合手段を２対以上備え、これら２対以上の各嵌合手段におけるそれぞれの嵌合が、前記パネルの組み立てに際して一方のパネルを他方のパネルに対してスライドさせる方向として定めた所定スライド方向のスライドによりなされるようにそれぞれの嵌合部材が配置されると共に、これら嵌合手段による嵌合状態を保持し、また、嵌合状態の保持を解除可能なロック手段を付帯することとした。
【００１２】
この発明によれば、組み立て、分解が容易でその作業工程も単純なディスプレイパネル嵌合構造を提供することができる。
【図面の簡単な説明】
【００１３】
【図１】ディスプレイパネルの基本構造を示した斜視図である。
【図２】背面パネルと前面パネルの分解斜視図である。
【図３】背面パネルと前面パネルの分解斜視図である。
【図４】背面パネルと前面パネルに構成された嵌合手段を示した斜視図である。
【図５】背面パネルと前面パネルに構成された嵌合手段を示した部分断面図である。
【図６】（ａ）、（ｂ）は、一対の嵌合手段の嵌合直前の位置関係を説明した斜視図である。
【図７】ロック手段を例示した斜視図である。
【図８】掛止部材を説明した斜視図である。
【図９】掛止部材を説明した斜視図である。
【図１０】鉤状部材が掛止に至る過程を説明した斜視図である。
【図１１】ロック状態にある鉤状部材及び掛止部材を示した斜視図である。
【図１２】ロック状態にある鉤状部材及び掛止部材のロック解除の方法を説明した断面図である。
【図１３】鉤状部材の断面図である。
【図１４】ロック状態にある鉤状部材及び掛止部材のロック解除の方法を説明した斜視図である。
【図１５】鉤状部材の斜視図である。
【図１６】掛止部材の斜視図である。
【図１７】ロック状態にある鉤状部材及び掛止部材のロック解除の方法を説明した正面図である。
【図１８】板状片からなる一対の嵌合手段を例示した斜視図である。
【図１９】板状片からなる一対の嵌合手段の係合状態を示した斜視図である。
【図２０】突出部に構成したロック手段を例示した斜視図である。
【図２１】突出部に構成したロック手段を例示した正面図である。
【図２２】突出部に構成したロック手段を例示した正面図である。
【図２３】従来のディスプレイパネル嵌合構造を説明した分解斜視図である。
【図２４】従来のディスプレイパネル嵌合構造を説明した断面図である。
【図２５】従来のディスプレイパネル嵌合構造を説明した斜視図である。
【発明を実施するための最良の形態】
【００１４】
以下、この発明をより詳細に説明するために、この発明を実施するための最良の形態について、添付の図面にしたがって説明する。
実施の形態１．
図１により、本発明に係るディスプレイパネル嵌合構造が適用されるディスプレイパネルの基本構造を説明する。図１中、前面パネル１と背面パネル２とは、互いの接合面１Ｆ、２Ｆを合わせて分解可能に固定保持される関係にある。前面パネル１は一番上に位置し、略矩形で底の浅い筐体状をなし、下向きの立下り部は略矩形状をした構造部をしていて、この枠状の構造部における下側開放端の略矩形の平坦な縁部で、背面パネル２との接合面１Ｆを構成している。図１中、最も下に位置する背面パネル２は略矩形で、断面Ｌ字状をした枠状の構造部材であり、この枠状の構造部における上側開放端の略矩形の平坦な縁部で、前面パネル１との接合面１Ｆと接合される接合面２Ｆを構成している。【００１５】
前面パネル１と背面パネル２との間には、上から順に、基板３、ホルダー４、液晶５が位置し、組付けは、前面パネル１に液晶５を嵌合させ、基板３を挟み込むように前面パネル１とホルダー４をネジで固定する。さらに、背面パネル２を前面パネル１に嵌合させることにより行われる。ホルダー４において、その長手方向Ｘ方向上で対向する２つの端部からはそれぞれ軸部６がＸ方向に突出している。【００１６】
この軸部６は組み立て状態における当該ディスプレイパネルの外部に突出するので、該軸部６を保持するための軸保持用の半月状の断面形状を有する突出部７ｕ、７ｄが、これら前面パネル１及び背面パネル２において軸部６が占める位置に対応する各接合面近傍の部位からＸ方向に突出して設けられている。背面パネル２の長手方向Ｘでの端部からは長手方向Ｘに突出部７ｄが、前面パネル１の長手方向Ｘでの端部からは長手方向Ｘに突出部７ｕがそれぞれ突出している。同じ側に突出する突出部７ｕ、７ｄとは対をなし、合体した筒状部で軸部６を保持する。以後の説明では、前面パネル１と背面パネル２との組み合わせだけを扱うので、これらの中間に保持される基板３、ホルダー４、液晶５等は省略する。また、前面パネル１の平坦な上面と平行な平面内において、長手方向Ｘと直交する方向を短手方向Ｙと称する。【００１７】
（一対の嵌合手段）
図２乃至図６において、背面パネル２に対する前面パネル１の組み立てに際して前面パネル１を背面パネル２に対してスライドさせる方向として定めた所定スライド方向Ｚを、短手方向Ｙに沿う突出部７ｕ、７ｄ設置側から非設置側に向かう向きとする。【００１８】
図２、図３、図５において、背面パネル２における所定スライド方向Ｚの上流側の一辺部２１には輪状嵌合部材８がその先端部を接合面２Ｆから突出させて設けられている。前面パネル１における所定スライド方向Ｚでの上流側の一辺部１１には輪状嵌合部材８に形成された孔８ａに嵌合する凸状部９ａを有するＬ字状の凸状嵌合部材９がその接合面１Ｆと同じ面位置で設けられている。但し、図２では前面パネル１の裏側に位置するため図示されていない。【００１９】
図３、図５に示すように、一辺部１１に設けた凸状嵌合部材９からは凸状部９ａが所定スライド方向Ｚの下流側に向けて、つまり、パネルの内方に向く内向きに突出している。よって、前面パネル１を背面パネル２に対して所定スライド方向Ｚにスライドさせることにより、背面パネル２に設けられた第１嵌合部材としての輪状嵌合部材８に、前面パネル１に設けられた第２嵌合部材としての凸状嵌合部材９の凸状部９ａが嵌合する。これら背面パネル２に設けられた輪状嵌合部材８と前面パネル１に設けられた凸状嵌合部材９とは、一対の嵌合手段を構成する。【００２０】
（他の一対の嵌合手段）
図２、図４、図５において、背面パネル２における所定スライド方向Ｚの下流側の一辺部２２には、凸状部９ａを有するＬ字状の凸状嵌合部材９がその接合面２Ｆと同じ面位置で設けられている。図３〜図５において、前面パネル１における所定スライド方向Ｚでの下流側の一辺部１２には、対向片部２２の凸状嵌合部材９に形成された凸状部９ａと嵌合する孔８ａを有する輪状嵌合部材８がその先端部を接合面１Ｆから突出させて設けられている。但し、図２では前面パネル１の裏側に位置するため図示されていない。【００２１】
図４、図５に示すように、対向片部２２に設けた凸状部９ａは凸状嵌合部材９から所定スライド方向Ｚの上流側に向けて、つまり、パネルの内方に向く内向きに突出している。よって、背面パネル２に設けられた第１嵌合部材としての凸状嵌合部材９に対して、前面パネル１に設けられた第２嵌合部材としての輪状嵌合部材８は、前面パネル１を背面パネル２に対して所定スライド方向Ｚにスライドさせることにより、嵌合状態になる。これら背面パネル２に設けられた凸状嵌合部材９と前面パネル１に設けられた輪状嵌合部材８とは、一対の嵌合手段を構成する。【００２２】
このように、所定スライド方向Ｚで、背面パネル２の下流側の一辺部２２に設けた凸状部９ａの向きが所定スライド方向Ｚでの上流側に向いており、前面パネル１の所定スライド方向Ｚでの上流側の一辺部１１に設けた凸状部９ａの向きが所定スライド方向Ｚでの下流側に向くようにしたことにより、これらパネルの外側に嵌合部材を設けることなく、前面パネル１を所定スライド方向Ｚでのスライド動作だけに伴い、両パネルの嵌合による接合状態を得る。【００２３】
本例では、所定スライド方向Ｚでの下流側と上流側とで、各一対の嵌合手段を構成する嵌合部材は、前面パネル１と背面パネル２とで配置を逆にしており、これにより、パネルの内側に同じ形状の嵌合部材を利用して設置し、所定スライド方向Ｚでの複数個所での嵌合を可能としている。なお、輪状嵌合部材８における孔８ａに代えて穴、凹部であってもよい。【００２４】
輪状嵌合部材８に凸状部９ａが嵌合する構成であり、凸状部９ａに孔８ａとの接触度合いが所定スライド方向Ｚ上で漸増、漸減するような傾斜を付すことにより、互いの接合面の接合を密にし、或いは両パネルの位置ずれ、噛み違いが矯正されるように、嵌合している他方の嵌合部材に作用させることができる。例えば、図５、図６に示すように、凸状部９ａにテーパを付すことにより、接合面１Ｆ、２Ｆ同士の密着度を変えることができる。【００２５】
輪状嵌合部材８に凸状部９ａが嵌合する構成であり、前面パネル１と背面パネル２が隙間なく、かつ外形のズレもなく保持することができる。複数対の嵌合手段を設ける構成であるから、この嵌合精度が高ければ、接合面上、所定スライド方向Ｚと交差する方向での背面パネル２及び前面パネル１のずれは抑えることができる。また、所定スライド方向Ｚでの移動が、両パネルの適正な合わせ位置を越えてなされないように、適切な移動位置で凸状嵌合部材９と輪状嵌合部材８とが衝合し止るように構成することは簡単に可能である。例えば、図５において、一辺部２２に設けた凸状嵌合部材９に、一辺部２２に設けた輪状嵌合部材８のオーバーランを防止するストッパ１０を固定することで簡単に対処できる。
輪状嵌合部材８と凸状部９ａとが嵌合する部位はそれぞれテーパ面を有しており、このテーパがスライド嵌合時のガイドなり、組み付けやすく、組付けた後ではガタツキおよび外形ズレを押さえることが可能となる。【００２６】
（ロック手段）
背面パネル２に対して前面パネル１が所定スライド方向Ｚの上流側にずれることを防止して複数対の嵌合手段による嵌合状態を保持し、また、必要に応じてかかる保持を解除できるロック手段が必要である。このロック手段としては、最も簡単には背面パネル２及び前面パネル１の肉厚部を共通に通るピンを抜き差し可能に設けることで可能である。ただ、ピンだと、抜けやすかったり、逆に嵌合がかたすぎて必要な場合に抜けなかったり、或いは抜いたピンを紛失する可能性もある。【００２７】
実施の形態２．
（一対の嵌合手段の近傍に設けられるロック手段）
図３において一般的な配置例を示すように、ロック手段３０は、一対の嵌合手段である輪状嵌合部材８及び凸状嵌合部材９の近傍に配置され、前面パネル１の一辺部１１の内側に設けた鉤状部材２０と、この鉤状部材２０に掛かる板状の掛止部材２５からなり、一対の嵌合部材の嵌合のため、背面パネル２に対して前面パネル１が所定スライド方向Ｚにスライドするのに伴い、掛止部材２５に対する鉤状部材２０の係合がなされ、掛止機能により両パネルのずれによる嵌合の離脱は生じなくなる。また、このロック状態を解除する解除手段を有している。【００２８】
例１．図７、図８に拡大して示す。この例では、掛止部材２５の上面が所定スライド方向Ｚに進むにつれて上向きの坂となる傾斜面２５ａとなっている。このようにすると、鉤状部材２０の乗り上げが円滑となるが、この傾斜の分だけ背面パネル２と前面パネル１との間に隙間ｔができてしまう。ロックに至る動作としては、前面パネル１の所定スライド方向Ｚへの移動に応じて鉤状部材２０がその基端部を支点として弾性変形して撓み、鉤状部材２０の下面傾斜部の端に形成された段部２０ａが該掛止部材２５の端部を乗り越えた場合に、該段部２０ａが掛止部材２５の端部に係合して保持される。この状態では、上記段部２０ａが掛止部材２５の端部に引っ掛かっているので、所定スライド方向Ｚと逆向きの前面パネル１の移動が阻止される。【００２９】
係合を解除するには、接合面１Ｆと接合面２Ｆとの間の隙間及び２つの傾斜面２５ａ間に形成された隙間２５ｂを介して、棒３１を差込み、接合面２Ｆ部を支点として該棒３１の先端部で鉤状部材２０の先端部を下から上に向けてこじる。これにより、掛止部材２５の先端部が上方に変位し、段部２０ａが掛止部材２５の端部から外れてロック状態が解除される。【００３０】
例２．本例は図９に示すように、掛止部材２５の上面が所定スライド方向Ｚと平行な平面部を有する。このようにすると、背面パネル２と前面パネル１との間に隙間を生じない。
掛止部材２５の上面には、掛止解除用の棒３１を差し込むための溝２５ｃを形成しておく。【００３１】
ロックに至る動作としては、例１と同様に、前面パネル１の所定スライド方向Ｚへの移動に応じて鉤状部材２０がその基端部を支点として弾性変形して撓み、鉤状部材２０の下面に形成された段部２０ａが該掛止部材２５の端部を乗り越えた場合に、該段部２０ａが掛止部材２５の端部に係合して保持される（図１１参照）。この状態では、上記段部２０ａが引っ掛かっているので、所定スライド方向Ｚと逆向きの前面パネル１の移動が阻止される。【００３２】
係合を解除するには、図１１に示すように、溝２５ｃを介して、棒３１を差込み、図１２に示すように、溝２５ｃの端部を支点Ｐとして該棒３１の先端部で鉤状部材２０の先端部を下から上に向けてこじるように揺動させる。これにより、掛止部材２５の先端部が矢印で示したように上方に変位し、段部２０ａが掛止部材２５の端部から外れてロック状態が解除される。【００３３】
例３．例１、２では、棒３１を揺動させたが、本例では棒３１を所定スライド方向Ｚに押し動かして、ロック状態を解除する。そのための前提として、図１３に示したように鉤状部材２０の先端部内に、所定スライド方向Ｚに進むにつれて下降する傾向に傾斜した傾斜面２０ｂを孔と共に形成しておく。ロックを解除するには図１４に示したように、溝２５ｃから棒３１を押し込む。棒３１の先端部が傾斜面２０ｂに当接し、さらに溝２５ｃを案内として棒３１を押し込むことにより、やがて、棒３１の先端部が傾斜面２０ｂに当接し、傾斜面２０ｂを押し上げることにより、掛止部材２５の端部から外れてロック状態が解除される。【００３４】
例４．本例は例３におけると同じ原理により鉤状部材２０を押し上げてロック状態を解除する。図１５に示したように、段部２０ａの部位であって、短手方向Ｘの略中央部に前記例３における傾斜面２０ｂと同様の機能を有する三角形の傾斜板２０ｃを一体的に構成しておく。このように傾斜板２０ｃを設けると段部２０ａが塞がってしまうので、これを回避するため、図１６に示したように掛止部材２５には、傾斜板２０ｃとの干渉を避けるための凹部２５ｅを形成しておく。【００３５】
図１７は、図１５における鉤状部材２０のＢ‐Ｂ断面、図１６における掛止部材２５のＣ‐Ｃ断面をそれぞれ示す。ロックを解除するには図１７に示したように、溝２５ｃから棒３１を押し込む。棒３１の先端部が傾斜板２０ｃに当接し、さらに溝２５ｃを案内として棒３１を押し込むことにより、やがて、棒３１の先端部が傾斜板２０ｃを押し上げることにより、掛止部材２５の端部から外れてロック状態が解除される。【００３６】
これら各例のロック手段は、図３に示したように、一対の嵌合部材の近傍に配置される。【００３７】
実施の形態３．
（Ｌ字形板状片同士による嵌合構造）
背面パネル２と前面パネル１とを接合状態にする一対の嵌合手段の例としては、輪状嵌合部材８及び凸状嵌合部材９の例を説明したが、本例はその別例であり、図１８に示すように、図中斜め左側に位置する一対の嵌合手段を構成する第１、第２嵌合部材は共にＬ字形をした板状片からなり、第１嵌合部材を構成する板状片４０は前面パネル１の短手方向の側壁内面に固定され、第２嵌合部材を構成する板状片４１は背面パネル２の短手方向の側壁に固定されている。【００３８】
板状片４０は板面が鉛直方向に沿っており、板状片４１は板面が水平方向に沿っている。板状片４０の一部であって、所定のスライド方向Ｚの下流側に延びる凸状係合部４０Ａは該下流側に進むほど鉛直方向の幅が狭くなる傾向のテーパを付された形状である。板状片４１の一部であって、所定のスライド方向Ｚの上流側に延びる凸状係合部４１Ａは該上流側に進むほど鉛直方向の幅が狭くなる傾向のテーパを付された形状である。【００３９】
これらテーパ形状は、互いの接合面の接合を密にし、或いは接合部の噛み違いが矯正されるように、嵌合している他方の嵌合部材に作用する傾斜部の一例を構成する。【００４０】
前面パネル１が背面パネル２に対して所定のスライド方向Ｚにスライドする場合に、凸状係合部４０Ａは板状片４１の下側から該板状片４１に接触して係合する。また、凸状係合部４１Ａは板状片４０に対して短手方向の内側から外側に向けて接触して係合する。【００４１】
図中斜め右側にも一対の嵌合手段を構成するＬ字状をした板状片４０’、４１’が、板状片４０、４１と対称に配置構成されている。前面パネル１が背面パネル２に対して所定のスライド方向Ｚにスライドする場合に、板状片４０’の一部である凸状係合部４０’Ａは板状片４１’の下側から該板状片４１’に接触して係合する。また、板状片４１’の一部である凸状係合部４１’Ａは板状片４０’に対して短手方向Ｘの内側から外側に向けて接触して係合する。【００４２】
係合状態を図１９に例示する。これらの係合度合いは前面パネル１が所定のスライド方向Ｚに進むにつれて大きくなる。したがって、接合面１Ｆ、２Ｆ同士の接合加圧力は次第に強くなり、また、前面パネル１と背面パネル２とのガタが減少する傾向となる。係合部はスライド時のガイドとなり、側面も同様に組付け後のガタツキおよび外形ズレを抑制できる。輪状嵌合部材８及び凸状嵌合部材９の例と併用する例が好ましいが、これに限らず、輪状嵌合部材８及び凸状嵌合部材９に代わる係合手段として独立して構成することも可能である。その場合でも前記したロック手段と併用するのがよい。【００４３】
実施の形態４．
（軸保持用突出部に設けたロック手段）
図２、図３、図２１〜図２２において、突出部７ｕにはロック手段を構成する鉤状部材５０が設けられ、この鉤状部材５０に掛かる掛止部材５１が突出部７ｄに設けられている。
鉤状部材５０と掛止部材５１との関係は、図７乃至図１７で説明した鉤状部材２０と、この鉤状部材２０に掛かる掛止部材２５との関係と同じである。突出部７ｕ、７ｄを利用してロック手段を構成することにより、確実な掛止機能を得る。ロックの解除は、外力により鉤状部材５０を弾性変形させて行う。鉤状部材及び掛止部材からなるロック手段は、前記一対の嵌合手段の近傍に設けることにより、嵌合状態を的確に誤差を含まずに適正な嵌合状態でロックできる。図２２に示したように、鉤状部材５０の掛止部材５１に対する当接部は、所定のスライド方向に掛止部材５１を押圧する傾斜面５０ａで構成すれば、該傾斜面５０ａを介して前側パネル１が背面パネル２に対して所定のスライド方向Ｚに常時加圧されるので、一対の嵌合手段による嵌合状態にゆるみを生じない。【００４４】
本例では、背面パネル２と前面パネル１の長手方向Ｘの一辺部、及び短手方向Ｙの一辺部にそれぞれ輪状嵌合部材８、凸状嵌合部材９による一対の嵌合手段、板状片４０、４１からなる一対の嵌合手段を構成し、また、背面パネル２と前面パネル１の長手方向Ｘの一辺部及び軸部保持用の突出部７ｕ、７ｄにそれぞれロック手段を構成し、背面パネル２と前面パネル１の嵌合状態の確実を図り、かつ分解も可能としている。【００４５】
従来、背面パネルをネジにて固定したが本発明を用いることでネジを廃止することが可能となり、部品点数削減および組立工数削減によりコストダウンが可能となる。また、分解時に嵌合部の破損がなく、パネルの再利用ができる。さらに凸形状の嵌合を増やすことで大きなディスプレイに対しても有効である。
【産業上の利用可能性】
【００４６】
以上のように、この発明に係るディスプレイパネル嵌合構造は、組み立て、分解が容易でその作業工程も単純なディスプレイパネル嵌合構造を提供するため、互いの接合面を合わせて分解可能に固定保持される２つのパネルのうち、一方のパネルに設けられる第１嵌合部材と、他方のパネルに設けられ前記第１嵌合部材と嵌合可能な第２嵌合部材とで一対の嵌合手段を構成し、この一対の嵌合手段を２対以上備え、これら２対以上の各嵌合手段におけるそれぞれの嵌合が、前記パネルの組み立てに際して一方のパネルを他方のパネルに対してスライドさせる方向として定めた所定スライド方向のスライドによりなされるようにそれぞれの嵌合部材が配置されると共に、これら嵌合手段による嵌合状態を保持し、また、嵌合状態の保持を解除可能なロック手段を付帯したので、基板等を内封した液晶ディスプレイパネルの嵌合構造などに用いるのに適している。
【図１】
2009141937.tif 000003
【図２】
2009141937.tif 000004
【図３】
2009141937.tif 000005
【図４】
2009141937.tif 000006
【図５】
2009141937.tif 000007
【図６】
2009141937.tif 000008
【図７】
2009141937.tif 000009
【図８】
2009141937.tif 000010
【図９】
2009141937.tif 000011
【図１０】
2009141937.tif 000012
【図１１】
2009141937.tif 000013
【図１２】
2009141937.tif 000014
【図１３】
2009141937.tif 000015
【図１４】
2009141937.tif 000016
【図１５】
2009141937.tif 000017
【図１６】
2009141937.tif 000018
【図１７】
2009141937.tif 000019
【図１８】
2009141937.tif 000020
【図１９】
2009141937.tif 000021
【図２０】
2009141937.tif 000022
【図２１】
2009141937.tif 000023
【図２２】
2009141937.tif 000024
【図２３】
2009141937.tif 000025
【図２４】
2009141937.tif 000026
【図２５】
2009141937.tif 000027
【手続補正書】
【提出日】平成23年5月23日(2011.5.23)
【手続補正１】
【補正対象書類名】明細書
【補正対象項目名】全文
【補正方法】変更
【補正の内容】
【発明の詳細な説明】
【技術分野】
【０００１】
この発明は、ディスプレイパネル嵌合構造に関するものである。
【背景技術】
【０００２】
液晶は基板等を内封するディスプレイの嵌合構造として、図２３乃至図２５に示すように、略矩形の２つの前面パネル１００と背面パネル２００からなり、これらパネルにおける開放端側の矩形の縁部でそれぞれの接合面１００Ｆ、２００Ｆを構成し、これら互いの接合面１００Ｆ、２００Ｆ同士を合わせて固定保持するための構成がある。これまでは前面パネル１００に引っ掛かりとなる凸部１００ａを備え、背面パネル２００に前面パネル１００の凸部１００ａが引っ掛かる穴２０１ａを有した突起２０１を備え、もしくはこれらの凸部１００ａや突起２０１を前面パネル１００側と背面パネル２００側とで置き換えた構成を有する構造であった。
【０００３】
凸部１００ａ及び突起２０１はそれぞれのパネルの開放端側の矩形の縁部の内側に全周にわたり間隔をおいて複数対、設けられている。かかる構造では、両パネル同士を合わせて固定保持する際に、図において上下方向から互いの接合面１００Ｆ、２００Ｆ同士が密着するように両パネル同士を押し付ける。その過程で、突起２０１の自由端側が凸部１００ａにより弾性変形させられて穴２０１ａに凸部１００ａが嵌合し、かつ、互いの接合面１００Ｆ、２００Ｆ同士が密着した状態となり、両パネル同士は一体化される。
【０００４】
このようにして組み立てられたディスプレイパネル嵌合構造において、組み立て後に分解されることは稀であるが、それでも、内部点検の必要から分解が必要となる場合がある。分解するためには、穴２０１ａと凸部１００ａとの嵌合状態を解除しなければならないが、しかし、組み立て後においては図２５にも示すように、穴２０１ａ及び凸部１００ａは両パネルの内側に位置し、しかも、互いの接合面１００Ｆ、２００Ｆ同士が密着しているため外部から工具を差し入れることは困難であり、穴２０１ａを有する突起２０１を内側に撓ませて穴２０１ａから凸部１００ａを外すことが極めて困難である。
【０００５】
このため、工具でこじ開けようとすると突起２０１部分が破損することがあり、このようにして一度分解すると背面パネル２００を新規の部品に取り替えなければならない場合もあることから、分解可能で嵌合部の破損がなく、パネルの再利用が可能なディスプレイパネル嵌合構造が望まれている。
【０００６】
本体の背面を覆うカバー部材を本体に固定して保持するカバー部材の保持構造であり、間隔をおいて本体に設けられている一対の第１取り付け凹部と、間隔をおいて本体に設けられている一対の第２取り付け凹部と、カバー部材において突出して設けられ一対の第１取り付け凹部に対してそれぞれカバー部材をスライドしてはめ込まれて固定される一対の第１突起部と、カバー部材において突出して設けられ一対の第２取り付け凹部に対してそれぞれカバーのスライド方向とは異なる方向にカバー部材を押し込むことではめ込まれて固定される一対の第２突起部を備える構造に係る技術がある（たとえば、特許文献１参照）。
【０００７】
特許文献１におけるカバー部材の保持構造は、カバー部材を本体の背面に対して簡単かつ確実に固定して保持することができ、簡単には外れないカバー部材の保持構造および電子機器を提供することを課題とするものであり、液晶表示装置の本体の背面に対して、カバー部材を取り付ける際には、（１）第１取り付け凹部に対して、カバー部材の第１突起部をスライドして取り付ける工程と、（２）第２取り付け凹部に対して、カバー部材の第２突起部を押し込んではめ込むはめ込み工程、の２つの工程を経なければならない（段落００４０〜００４３）、また、複雑に入り組んだ構造が必要とされる。
【０００８】
以上のことから、組み立て、分解が容易でその作業工程も単純なディスプレイパネル嵌合構造が望まれる。
【０００９】
【特許文献１】特開２００４−１１９６２２号公報
【発明の概要】
【発明が解決しようとする課題】
【００１０】
この発明は上記のような課題を解決するもので、組み立て、分解が容易でその作業工程も単純なディスプレイパネル嵌合構造を提供することを目的とする。
【課題を解決するための手段】
【００１１】
この発明は、互いの接合面を合わせて分解可能に固定保持される２つのパネルのうち、一方のパネルに設けられる第１嵌合部材と、他方のパネルに設けられ前記第１嵌合部材と嵌合可能な第２嵌合部材とで一対の嵌合手段を４辺に有するように構成し、この一対の嵌合手段を４対以上備え、これら４対以上の各嵌合手段におけるそれぞれの嵌合が、前記パネルの組み立てに際して一方のパネルを他方のパネルに対してスライドさせる方向として定めた所定スライド方向のスライドによりなされるようにそれぞれの嵌合部材が配置されると共に、これら嵌合手段による嵌合状態を保持し、また、嵌合状態の保持を解除可能なロック手段を付帯し、前記４対以上の嵌合手段のうち少なくとも２つは前記一対の嵌合手段を構成する第１、第２嵌合部材は共にＬ字形をした板状片からなり、前記第１嵌合部材のＬ字形板状片の板面と、前記第２嵌合部材の板面は互いに直交する態様で固定され、嵌合状態において交差状に噛み合わされ、前記第１嵌合部材、前記第２嵌合部材の少なくとも何れか一方の前記嵌合部にはスライド方向側面側に傾斜部を有し、前記嵌合のための前記パネルのスライドに従い、互いの接合面の接合を密にし、或いは接合部の噛み違いが矯正されるようにすることとした。
【発明の効果】
【００１２】
この発明によれば、組み立て、分解が容易でその作業工程も単純なディスプレイパネル嵌合構造を提供することができる。
【図面の簡単な説明】
【００１３】
【図１】ディスプレイパネルの基本構造を示した斜視図である。
【図２】背面パネルと前面パネルの分解斜視図である。
【図３】背面パネルと前面パネルの分解斜視図である。
【図４】背面パネルと前面パネルに構成された嵌合手段を示した斜視図である。
【図５】背面パネルと前面パネルに構成された嵌合手段を示した部分断面図である。
【図６】（ａ）、（ｂ）は、一対の嵌合手段の嵌合直前の位置関係を説明した斜視図である。
【図７】ロック手段を例示した斜視図である。
【図８】掛止部材を説明した斜視図である。
【図９】掛止部材を説明した斜視図である。
【図１０】鉤状部材が掛止に至る過程を説明した斜視図である。
【図１１】ロック状態にある鉤状部材及び掛止部材を示した斜視図である。
【図１２】ロック状態にある鉤状部材及び掛止部材のロック解除の方法を説明した断面図である。
【図１３】鉤状部材の断面図である。
【図１４】ロック状態にある鉤状部材及び掛止部材のロック解除の方法を説明した斜視図である。
【図１５】鉤状部材の斜視図である。
【図１６】掛止部材の斜視図である。
【図１７】ロック状態にある鉤状部材及び掛止部材のロック解除の方法を説明した正面図である。
【図１８】板状片からなる一対の嵌合手段を例示した斜視図である。
【図１９】板状片からなる一対の嵌合手段の係合状態を示した斜視図である。
【図２０】突出部に構成したロック手段を例示した斜視図である。
【図２１】突出部に構成したロック手段を例示した正面図である。
【図２２】突出部に構成したロック手段を例示した正面図である。
【図２３】従来のディスプレイパネル嵌合構造を説明した分解斜視図である。
【図２４】従来のディスプレイパネル嵌合構造を説明した断面図である。
【図２５】従来のディスプレイパネル嵌合構造を説明した斜視図である。
【発明を実施するための形態】
【００１４】
以下、この発明をより詳細に説明するために、この発明を実施するための形態について、添付の図面にしたがって説明する。
実施の形態１．
図１により、本発明に係るディスプレイパネル嵌合構造が適用されるディスプレイパネルの基本構造を説明する。図１中、前面パネル１と背面パネル２とは、互いの接合面１Ｆ、２Ｆを合わせて分解可能に固定保持される関係にある。前面パネル１は一番上に位置し、略矩形で底の浅い筐体状をなし、下向きの立下り部は略矩形状をした構造部をしていて、この枠状の構造部における下側開放端の略矩形の平坦な縁部で、背面パネル２との接合面１Ｆを構成している。図１中、最も下に位置する背面パネル２は略矩形で、断面Ｌ字状をした枠状の構造部材であり、この枠状の構造部における上側開放端の略矩形の平坦な縁部で、前面パネル１との接合面１Ｆと接合される接合面２Ｆを構成している。
【００１５】
前面パネル１と背面パネル２との間には、上から順に、基板３、ホルダー４、液晶５が位置し、組付けは、前面パネル１に液晶５を嵌合させ、基板３を挟み込むように前面パネル１とホルダー４をネジで固定する。さらに、背面パネル２を前面パネル１に嵌合させることにより行われる。ホルダー４において、その長手方向Ｘ方向上で対向する２つの端部からはそれぞれ軸部６がＸ方向に突出している。
【００１６】
この軸部６は組み立て状態における当該ディスプレイパネルの外部に突出するので、該軸部６を保持するための軸保持用の半月状の断面形状を有する突出部７ｕ、７ｄが、これら前面パネル１及び背面パネル２において軸部６が占める位置に対応する各接合面近傍の部位からＸ方向に突出して設けられている。背面パネル２の長手方向Ｘでの端部からは長手方向Ｘに突出部７ｄが、前面パネル１の長手方向Ｘでの端部からは長手方向Ｘに突出部７ｕがそれぞれ突出している。同じ側に突出する突出部７ｕ、７ｄとは対をなし、合体した筒状部で軸部６を保持する。以後の説明では、前面パネル１と背面パネル２との組み合わせだけを扱うので、これらの中間に保持される基板３、ホルダー４、液晶５等は省略する。また、前面パネル１の平坦な上面と平行な平面内において、長手方向Ｘと直交する方向を短手方向Ｙと称する。
【００１７】
（一対の嵌合手段）
図２乃至図６において、背面パネル２に対する前面パネル１の組み立てに際して前面パネル１を背面パネル２に対してスライドさせる方向として定めた所定スライド方向Ｚを、短手方向Ｙに沿う突出部７ｕ、７ｄ設置側から非設置側に向かう向きとする。
【００１８】
図２、図３、図５において、背面パネル２における所定スライド方向Ｚの上流側の一辺部２１には輪状嵌合部材８がその先端部を接合面２Ｆから突出させて設けられている。前面パネル１における所定スライド方向Ｚでの上流側の一辺部１１には輪状嵌合部材８に形成された孔８ａに嵌合する凸状部９ａを有するＬ字状の凸状嵌合部材９がその接合面１Ｆと同じ面位置で設けられている。但し、図２では前面パネル１の裏側に位置するため図示されていない。
【００１９】
図３、図５に示すように、一辺部１１に設けた凸状嵌合部材９からは凸状部９ａが所定スライド方向Ｚの下流側に向けて、つまり、パネルの内方に向く内向きに突出している。よって、前面パネル１を背面パネル２に対して所定スライド方向Ｚにスライドさせることにより、背面パネル２に設けられた第１嵌合部材としての輪状嵌合部材８に、前面パネル１に設けられた第２嵌合部材としての凸状嵌合部材９の凸状部９ａが嵌合する。これら背面パネル２に設けられた輪状嵌合部材８と前面パネル１に設けられた凸状嵌合部材９とは、一対の嵌合手段を構成する。
【００２０】
（他の一対の嵌合手段）
図２、図４、図５において、背面パネル２における所定スライド方向Ｚの下流側の一辺部２２には、凸状部９ａを有するＬ字状の凸状嵌合部材９がその接合面２Ｆと同じ面位置で設けられている。図３〜図５において、前面パネル１における所定スライド方向Ｚでの下流側の一辺部１２には、対向片部２２の凸状嵌合部材９に形成された凸状部９ａと嵌合する孔８ａを有する輪状嵌合部材８がその先端部を接合面１Ｆから突出させて設けられている。但し、図２では前面パネル１の裏側に位置するため図示されていない。
【００２１】
図４、図５に示すように、対向片部２２に設けた凸状部９ａは凸状嵌合部材９から所定スライド方向Ｚの上流側に向けて、つまり、パネルの内方に向く内向きに突出している。よって、背面パネル２に設けられた第１嵌合部材としての凸状嵌合部材９に対して、前面パネル１に設けられた第２嵌合部材としての輪状嵌合部材８は、前面パネル１を背面パネル２に対して所定スライド方向Ｚにスライドさせることにより、嵌合状態になる。これら背面パネル２に設けられた凸状嵌合部材９と前面パネル１に設けられた輪状嵌合部材８とは、一対の嵌合手段を構成する。
【００２２】
このように、所定スライド方向Ｚで、背面パネル２の下流側の一辺部２２に設けた凸状部９ａの向きが所定スライド方向Ｚでの上流側に向いており、前面パネル１の所定スライド方向Ｚでの上流側の一辺部１１に設けた凸状部９ａの向きが所定スライド方向Ｚでの下流側に向くようにしたことにより、これらパネルの外側に嵌合部材を設けることなく、前面パネル１を所定スライド方向Ｚでのスライド動作だけに伴い、両パネルの嵌合による接合状態を得る。
【００２３】
本例では、所定スライド方向Ｚでの下流側と上流側とで、各一対の嵌合手段を構成する嵌合部材は、前面パネル１と背面パネル２とで配置を逆にしており、これにより、パネルの内側に同じ形状の嵌合部材を利用して設置し、所定スライド方向Ｚでの複数個所での嵌合を可能としている。なお、輪状嵌合部材８における孔８ａに代えて穴、凹部であってもよい。
【００２４】
輪状嵌合部材８に凸状部９ａが嵌合する構成であり、凸状部９ａに孔８ａとの接触度合いが所定スライド方向Ｚ上で漸増、漸減するような傾斜を付すことにより、互いの接合面の接合を密にし、或いは両パネルの位置ずれ、噛み違いが矯正されるように、嵌合している他方の嵌合部材に作用させることができる。例えば、図５、図６に示すように、凸状部９ａにテーパを付すことにより、接合面１Ｆ、２Ｆ同士の密着度を変えることができる。
【００２５】
輪状嵌合部材８に凸状部９ａが嵌合する構成であり、前面パネル１と背面パネル２が隙間なく、かつ外形のズレもなく保持することができる。複数対の嵌合手段を設ける構成であるから、この嵌合精度が高ければ、接合面上、所定スライド方向Ｚと交差する方向での背面パネル２及び前面パネル１のずれは抑えることができる。また、所定スライド方向Ｚでの移動が、両パネルの適正な合わせ位置を越えてなされないように、適切な移動位置で凸状嵌合部材９と輪状嵌合部材８とが衝合し止るように構成することは簡単に可能である。例えば、図５において、一辺部２２に設けた凸状嵌合部材９に、一辺部２２に設けた輪状嵌合部材８のオーバーランを防止するストッパ１０を固定することで簡単に対処できる。
輪状嵌合部材８と凸状部９ａとが嵌合する部位はそれぞれテーパ面を有しており、このテーパがスライド嵌合時のガイドなり、組み付けやすく、組付けた後ではガタツキおよび外形ズレを押さえることが可能となる。
【００２６】
（ロック手段）
背面パネル２に対して前面パネル１が所定スライド方向Ｚの上流側にずれることを防止して複数対の嵌合手段による嵌合状態を保持し、また、必要に応じてかかる保持を解除できるロック手段が必要である。このロック手段としては、最も簡単には背面パネル２及び前面パネル１の肉厚部を共通に通るピンを抜き差し可能に設けることで可能である。ただ、ピンだと、抜けやすかったり、逆に嵌合がかたすぎて必要な場合に抜けなかったり、或いは抜いたピンを紛失する可能性もある。
【００２７】
実施の形態２．
（一対の嵌合手段の近傍に設けられるロック手段）
図３において一般的な配置例を示すように、ロック手段３０は、一対の嵌合手段である輪状嵌合部材８及び凸状嵌合部材９の近傍に配置され、前面パネル１の一辺部１１の内側に設けた鉤状部材２０と、この鉤状部材２０に掛かる板状の掛止部材２５からなり、一対の嵌合部材の嵌合のため、背面パネル２に対して前面パネル１が所定スライド方向Ｚにスライドするのに伴い、掛止部材２５に対する鉤状部材２０の係合がなされ、掛止機能により両パネルのずれによる嵌合の離脱は生じなくなる。また、このロック状態を解除する解除手段を有している。
【００２８】
例１．図７、図８に拡大して示す。この例では、掛止部材２５の上面が所定スライド方向Ｚに進むにつれて上向きの坂となる傾斜面２５ａとなっている。このようにすると、鉤状部材２０の乗り上げが円滑となるが、この傾斜の分だけ背面パネル２と前面パネル１との間に隙間ｔができてしまう。ロックに至る動作としては、前面パネル１の所定スライド方向Ｚへの移動に応じて鉤状部材２０がその基端部を支点として弾性変形して撓み、鉤状部材２０の下面傾斜部の端に形成された段部２０ａが該掛止部材２５の端部を乗り越えた場合に、該段部２０ａが掛止部材２５の端部に係合して保持される。この状態では、上記段部２０ａが掛止部材２５の端部に引っ掛かっているので、所定スライド方向Ｚと逆向きの前面パネル１の移動が阻止される。
【００２９】
係合を解除するには、接合面１Ｆと接合面２Ｆとの間の隙間及び２つの傾斜面２５ａ間に形成された隙間２５ｂを介して、棒３１を差込み、接合面２Ｆ部を支点として該棒３１の先端部で鉤状部材２０の先端部を下から上に向けてこじる。これにより、掛止部材２５の先端部が上方に変位し、段部２０ａが掛止部材２５の端部から外れてロック状態が解除される。
【００３０】
例２．本例は図９に示すように、掛止部材２５の上面が所定スライド方向Ｚと平行な平面部を有する。このようにすると、背面パネル２と前面パネル１との間に隙間を生じない。
掛止部材２５の上面には、掛止解除用の棒３１を差し込むための溝２５ｃを形成しておく。
【００３１】
ロックに至る動作としては、例１と同様に、前面パネル１の所定スライド方向Ｚへの移動に応じて鉤状部材２０がその基端部を支点として弾性変形して撓み、鉤状部材２０の下面に形成された段部２０ａが該掛止部材２５の端部を乗り越えた場合に、該段部２０ａが掛止部材２５の端部に係合して保持される（図１１参照）。この状態では、上記段部２０ａが引っ掛かっているので、所定スライド方向Ｚと逆向きの前面パネル１の移動が阻止される。
【００３２】
係合を解除するには、図１１に示すように、溝２５ｃを介して、棒３１を差込み、図１２に示すように、溝２５ｃの端部を支点Ｐとして該棒３１の先端部で鉤状部材２０の先端部を下から上に向けてこじるように揺動させる。これにより、掛止部材２５の先端部が矢印で示したように上方に変位し、段部２０ａが掛止部材２５の端部から外れてロック状態が解除される。
【００３３】
例３．例１、２では、棒３１を揺動させたが、本例では棒３１を所定スライド方向Ｚに押し動かして、ロック状態を解除する。そのための前提として、図１３に示したように鉤状部材２０の先端部内に、所定スライド方向Ｚに進むにつれて下降する傾向に傾斜した傾斜面２０ｂを孔と共に形成しておく。ロックを解除するには図１４に示したように、溝２５ｃから棒３１を押し込む。棒３１の先端部が傾斜面２０ｂに当接し、さらに溝２５ｃを案内として棒３１を押し込むことにより、やがて、棒３１の先端部が傾斜面２０ｂに当接し、傾斜面２０ｂを押し上げることにより、掛止部材２５の端部から外れてロック状態が解除される。
【００３４】
例４．本例は例３におけると同じ原理により鉤状部材２０を押し上げてロック状態を解除する。図１５に示したように、段部２０ａの部位であって、短手方向Ｘの略中央部に前記例３における傾斜面２０ｂと同様の機能を有する三角形の傾斜板２０ｃを一体的に構成しておく。このように傾斜板２０ｃを設けると段部２０ａが塞がってしまうので、これを回避するため、図１６に示したように掛止部材２５には、傾斜板２０ｃとの干渉を避けるための凹部２５ｅを形成しておく。
【００３５】
図１７は、図１５における鉤状部材２０のＢ‐Ｂ断面、図１６における掛止部材２５のＣ‐Ｃ断面をそれぞれ示す。ロックを解除するには図１７に示したように、溝２５ｃから棒３１を押し込む。棒３１の先端部が傾斜板２０ｃに当接し、さらに溝２５ｃを案内として棒３１を押し込むことにより、やがて、棒３１の先端部が傾斜板２０ｃを押し上げることにより、掛止部材２５の端部から外れてロック状態が解除される。
【００３６】
これら各例のロック手段は、図３に示したように、一対の嵌合部材の近傍に配置される。
【００３７】
実施の形態３．
（Ｌ字形板状片同士による嵌合構造）
背面パネル２と前面パネル１とを接合状態にする一対の嵌合手段の例としては、輪状嵌合部材８及び凸状嵌合部材９の例を説明したが、本例はその別例であり、図１８に示すように、図中斜め左側に位置する一対の嵌合手段を構成する第１、第２嵌合部材は共にＬ字形をした板状片からなり、第１嵌合部材を構成する板状片４０は前面パネル１の短手方向の側壁内面に固定され、第２嵌合部材を構成する板状片４１は背面パネル２の短手方向の側壁に固定されている。
【００３８】
板状片４０は板面が鉛直方向に沿っており、板状片４１は板面が水平方向に沿っている。板状片４０の一部であって、所定のスライド方向Ｚの下流側に延びる凸状係合部４０Ａは該下流側に進むほど鉛直方向の幅が狭くなる傾向のテーパを付された形状である。板状片４１の一部であって、所定のスライド方向Ｚの上流側に延びる凸状係合部４１Ａは該上流側に進むほど鉛直方向の幅が狭くなる傾向のテーパを付された形状である。
【００３９】
これらテーパ形状は、互いの接合面の接合を密にし、或いは接合部の噛み違いが矯正されるように、嵌合している他方の嵌合部材に作用する傾斜部の一例を構成する。
【００４０】
前面パネル１が背面パネル２に対して所定のスライド方向Ｚにスライドする場合に、凸状係合部４０Ａは板状片４１の下側から該板状片４１に接触して係合する。また、凸状係合部４１Ａは板状片４０に対して短手方向の内側から外側に向けて接触して係合する。
【００４１】
図中斜め右側にも一対の嵌合手段を構成するＬ字状をした板状片４０’、４１’が、板状片４０、４１と対称に配置構成されている。前面パネル１が背面パネル２に対して所定のスライド方向Ｚにスライドする場合に、板状片４０’の一部である凸状係合部４０’Ａは板状片４１’の下側から該板状片４１’に接触して係合する。また、板状片４１’の一部である凸状係合部４１’Ａは板状片４０’に対して短手方向Ｘの内側から外側に向けて接触して係合する。
【００４２】
係合状態を図１９に例示する。これらの係合度合いは前面パネル１が所定のスライド方向Ｚに進むにつれて大きくなる。したがって、接合面１Ｆ、２Ｆ同士の接合加圧力は次第に強くなり、また、前面パネル１と背面パネル２とのガタが減少する傾向となる。係合部はスライド時のガイドとなり、側面も同様に組付け後のガタツキおよび外形ズレを抑制できる。輪状嵌合部材８及び凸状嵌合部材９の例と併用する例が好ましいが、これに限らず、輪状嵌合部材８及び凸状嵌合部材９に代わる係合手段として独立して構成することも可能である。その場合でも前記したロック手段と併用するのがよい。
【００４３】
実施の形態４．
（軸保持用突出部に設けたロック手段）
図２、図３、図２１〜図２２において、突出部７ｕにはロック手段を構成する鉤状部材５０が設けられ、この鉤状部材５０に掛かる掛止部材５１が突出部７ｄに設けられている。
鉤状部材５０と掛止部材５１との関係は、図７乃至図１７で説明した鉤状部材２０と、この鉤状部材２０に掛かる掛止部材２５との関係と同じである。突出部７ｕ、７ｄを利用してロック手段を構成することにより、確実な掛止機能を得る。ロックの解除は、外力により鉤状部材５０を弾性変形させて行う。鉤状部材及び掛止部材からなるロック手段は、前記一対の嵌合手段の近傍に設けることにより、嵌合状態を的確に誤差を含まずに適正な嵌合状態でロックできる。図２２に示したように、鉤状部材５０の掛止部材５１に対する当接部は、所定のスライド方向に掛止部材５１を押圧する傾斜面５０ａで構成すれば、該傾斜面５０ａを介して前側パネル１が背面パネル２に対して所定のスライド方向Ｚに常時加圧されるので、一対の嵌合手段による嵌合状態にゆるみを生じない。
【００４４】
本例では、背面パネル２と前面パネル１の長手方向Ｘの一辺部、及び短手方向Ｙの一辺部にそれぞれ輪状嵌合部材８、凸状嵌合部材９による一対の嵌合手段、板状片４０、４１からなる一対の嵌合手段を構成し、また、背面パネル２と前面パネル１の長手方向Ｘの一辺部及び軸部保持用の突出部７ｕ、７ｄにそれぞれロック手段を構成し、背面パネル２と前面パネル１の嵌合状態の確実を図り、かつ分解も可能としている。
【００４５】
従来、背面パネルをネジにて固定したが本発明を用いることでネジを廃止することが可能となり、部品点数削減および組立工数削減によりコストダウンが可能となる。また、分解時に嵌合部の破損がなく、パネルの再利用ができる。さらに凸形状の嵌合を増やすことで大きなディスプレイに対しても有効である。
【手続補正２】
【補正対象書類名】特許請求の範囲
【補正対象項目名】全文
【補正方法】変更
【補正の内容】
【特許請求の範囲】
【請求項１】
互いの接合面を合わせて分解可能に固定保持される２つのパネルのうち、一方のパネルに設けられる第１嵌合部材と、他方のパネルに設けられ前記第１嵌合部材と嵌合可能な第２嵌合部材とで一対の嵌合手段を４辺に有するように構成し、この一対の嵌合手段を４対以上備え、これら４対以上の各嵌合手段におけるそれぞれの嵌合が、前記パネルの組み立てに際して一方のパネルを他方のパネルに対してスライドさせる方向として定めた所定スライド方向のスライドによりなされるようにそれぞれの嵌合部材が配置されると共に、これら嵌合手段による嵌合状態を保持し、また、嵌合状態の保持を解除可能なロック手段を付帯し、前記４対以上の嵌合手段のうち少なくとも２つは前記一対の嵌合手段を構成する第１、第２嵌合部材は共にＬ字形をした板状片からなり、前記第１嵌合部材のＬ字形板状片の板面と、前記第２嵌合部材の板面は互いに直交する態様で固定され、嵌合状態において交差状に噛み合わされ、前記第１嵌合部材、前記第２嵌合部材の少なくとも何れか一方の前記嵌合部にはスライド方向側面側に傾斜部を有し、前記嵌合のための前記パネルのスライドに従い、互いの接合面の接合を密にし、或いは接合部の噛み違いが矯正されるようにすることを特徴とするディスプレイパネル嵌合構造。
【請求項２】
前記一対の嵌合手段は、穴又は孔を有する輪状嵌合部材と、この輪状嵌合部材に嵌合する凸状部を有する凸状嵌合部材との組み合わせからなることを特徴とする請求項１記載のディスプレイパネル嵌合構造。
【請求項３】
前記ロック手段は鉤状部材と、この鉤状部材に掛かる掛止部材からなり、前記嵌合のための前記パネルの前記所定スライド方向のスライドに伴い、前記掛止部材に対する前記鉤状部材の係合がなされ、前記鉤状部材が前記掛止部材に掛止されてロック状態になるようにこれら鉤状部材と掛止部材の位置関係が定められ、棒状部材を差し込むことでロック手段を撓ませて、ロックを解除することを特徴とする請求項１記載のディスプレイパネル嵌合構造。
【請求項４】
互いの接合面を合わせて分解可能に固定保持される２つのパネルのうち、一方のパネルに設けられる第１嵌合部材と、他方のパネルに設けられ前記第１嵌合部材と嵌合可能な第２嵌合部材とで一対の嵌合手段を構成し、この一対の嵌合手段を２対以上備え、これら２対以上の各嵌合手段におけるそれぞれの嵌合が、前記パネルの組み立てに際して一方のパネルを他方のパネルに対してスライドさせる方向として定めた所定スライド方向のスライドによりなされるようにそれぞれの嵌合部材が配置されると共に、これら嵌合手段による嵌合状態を保持し、また、嵌合状態の保持を解除可能なロック手段を付帯し、前記ロック手段を構成する前記鉤状部材と、前記掛止部材は、前記２つのパネルにおける互いの接合面部近傍から各パネルの外部にそれぞれ突出する軸保持用の突出部にそれぞれ構成されていることを特徴とするディスプレイパネル嵌合構造。
【国際調査報告】
2009141937.tif 000028
2009141937.tif 000029
2009141937.tif 000030
2009141937.tif 000031